(57)【要約】【課題】場所打ちケーシングチューブの先端の掘削刃と内部の無排土掘削装置にて土及び障害物を切削して掘削土を排出しないで施工することができると共に、簡単に無排土掘削装置をケーシングチューブに取り付け取り外しを行うことができ、効率的な作業を行うことのできる無排土回転圧入機付ケーシングチューブ及び無排土ケーシングチューブ施工方法を提供する。【解決手段】地盤を掘削すべく、先端面に、掘削刃を設けてなるケーシングチューブの先端内部に固定具を設け、この固定具に掘削ドリルを具備した無排土掘削装置をケーシングチューブの上方より着脱自在に設けてなることを特徴とする。【選択図】  図１
2004257220.tif 000002
【特許請求の範囲】
【請求項１】
地盤を掘削すべく、先端面に、掘削刃を設けてなるケーシングチューブの先端内部に固定具を設け、この固定具に掘削ドリルを具備した無排土掘削装置をケーシングチューブの上方より着脱自在に設けてなることを特徴とする無排土回転圧入機付ケーシングチューブ。
【請求項２】
固定具が、挿入溝と係止溝とを形成してなることを特徴とする請求項１記載の無排土回転圧入機付ケーシングチューブ。
【請求項３】
無排土掘削装置の外周に、固定具に右回転にて係合する係合片を突設してなることを特徴とする請求項２記載の無排土回転圧入機付ケーシングチューブ。
【請求項４】
掘削ドリルが、掘削ビット、撹拌ビット、ビット、泥上げスクリュー、水平撹拌ビットから構成してなることを特徴とする請求項１、２又は３記載の無排土回転圧入機付ケーシングチューブ。
【請求項５】
回転押込機械に、上記ケーシングチューブを取り付け、上方よりワイヤーロープに取り付けた上記無排土掘削装置を入れ込み、無排土掘削装置の掘削ドリルを右回転させ、固定具に係合片を係合し、この状態で回転押込機械を作動させ、ケーシングチューブを右回転させると共に、掘削ドリルを右回転させ、掘削刃と掘削ドリルにて地盤を掘削し、深さに応じて別のケーシングチューブを上部に溶接等にて固定し、所要の深さを掘削した後、掘削ドリルを左回転させ係合片を固定具より外し、ワイヤーロープを上昇させ、無排土掘削装置を取り外し、ケーシングチューブの上方よりワイヤーロープにて吊下したクラブハンマーにて底部の拡翼土砂を掴み、外へ排出し、その後ケーシングチューブ内に鉄筋カゴを挿入し、ケーシングチューブの上方よりトレミー管を建て込み生コンクリートを打設しながら、トレミー管及びケーシングチューブを順次引き抜きとり、生コンクリートを所要高さまで打設し、設計の高さに施工してなることを特徴とする無排土ケーシングチューブ施工方法。
【発明の詳細な説明】
【０００１】
【発明の属する技術分野】
本発明は、場所打ちケーシングチューブの先端の掘削刃と内部の無排土掘削装置にて土及び障害物を切削して掘削土を排出しないで施工する無排土回転圧入機付ケーシングチューブ及び無排土ケーシングチューブ施工方法に関するものである。
【０００２】
【従来の技術】
従来の技術として、以下の施工手順の工法がある。
オールケーシング工法の掘削は、ケーシングチューブを掘削孔全長にわたり揺動・押込みながらケーシングチューブ内の土砂をハンマーグラブにて掘削・排土することにより行う。
鉄筋カゴを掘削孔内に建込み、トレミー管にて生コンクリートを打設する。ケーシングチューブは、生コンクリート打設に伴ない引抜き回収するものがある。（例えば非特許文献１参照）
【０００３】
【非特許文献１】
発行所  社団法人  日本基礎建設協会、
発行  平成２年６月第１版発行、場所打ちコンクリート杭、
Ｐ１１５  図−３．２．１．１  オールケーシング工法の機械配置および施工手順の概要図
【０００４】
【発明が解決しようとする課題】
上記オールケーシング工法は、ケーシングチューブ内の土砂をハンマーグラブにて掘削・排土するため、排土を別の所へ搬送する必要があり、周囲の環境を汚すと共に、搬送するために多大な手間と労力を要する等、問題になっていた。
【０００５】
本発明は、上記の問題点に鑑みなされたもので、その目的は、場所打ちケーシングチューブの先端の掘削刃と内部の無排土掘削装置にて土及び障害物を切削して掘削土を排出しないで施工することができると共に、簡単に無排土掘削装置をケーシングチューブに取り付け取り外しを行うことができ、効率的な作業を行うことのできる無排土回転圧入機付ケーシングチューブ及び無排土ケーシングチューブ施工方法を提供するものである。
【０００６】
【課題を解決するための手段】
課題を解決するための手段として、地盤を掘削すべく、先端面に、掘削刃を設けてなるケーシングチューブの先端内部に固定具を設け、この固定具に掘削ドリルを具備した無排土掘削装置をケーシングチューブの上方より着脱自在に設けてなること。また、固定具が、挿入溝と係止溝とを形成してなること。さらに、無排土掘削装置の外周に、固定具に右回転にて係合する係合片を突設してなること。さらにまた、掘削ドリルが、掘削ビット、撹拌ビット、ビット、泥上げスクリュー、水平撹拌ビットから構成してなることを特徴とする無排土回転圧入機付ケーシングチューブ。その上、回転押込機械に、上記ケーシングチューブを取り付け、上方よりワイヤーロープに取り付けた上記無排土掘削装置を入れ込み、無排土掘削装置の掘削ドリルを右回転させ、固定具に係合片を係合し、この状態で回転押込機械を作動させ、ケーシングチューブを右回転させると共に、掘削ドリルを右回転させ、掘削刃と掘削ドリルにて地盤を掘削し、深さに応じて別のケーシングチューブを上部に溶接等にて固定し、所要の深さを掘削した後、掘削ドリルを左回転させ係合片を固定具より外し、ワイヤーロープを上昇させ、無排土掘削装置を取り外し、ケーシングチューブの上方よりワイヤーロープにて吊下したクラブハンマーにて底部の拡翼土砂を掴み、外へ排出し、その後ケーシングチューブ内に鉄筋カゴを挿入し、ケーシングチューブの上方よりトレミー管を建て込み生コンクリートを打設しながら、トレミー管及びケーシングチューブを順次引き抜きとり、生コンクリートを所要高さまで打設し、設計の高さに施工してなることを特徴とする無排土ケーシングチューブ施工方法。
【０００７】
【発明の実施の形態】
以下、本発明におけるケーシングチューブ３と無排土掘削装置５とからなる無排土回転圧入機付ケーシングチューブ及び無排土ケーシングチューブ施工方法を図面に基づいて詳細に説明する。
無排土回転圧入機付ケーシングチューブ１は、地盤を掘削すべく、ケーシングチューブ本体２の先端面に、複数の掘削刃２ａを設けてなるケーシングチューブ３で、先端内部に円筒体４ａの上部に上方を開口した挿入溝４ａ１を形設すると共に、水平方向に連設する係止溝４ａ２を形設してなる固定具４を設けてなる。
【０００８】
５は、無排土掘削装置で、先端に掘削ビット５ａ１を、順次上方に向って撹拌ビット５ａ２、ビット５ａ３、泥上げスクリュー５ａ４、水平撹拌ビット５ａ５を設けてなる掘削ドリル５ａと、駆動体（電動モーター等）５ｂ１を内設すると共に、外周４箇所に上記係止溝４ａ２に右回転にて係止する係止片５ｂ２を突設してなる回転反力体５ｂとからなるものである。
【０００９】
上記掘削ビット５ａ１にて地盤のポイントを掘削し、撹拌ビット５ａ２にて掘削穴を大きくし、ビット５ａ３にてさらに細かく粉砕し、泥上げスクリュー５ａ４にて上方に土砂を上げ水平撹拌ビット５ａ５により水平方向に土砂を押しやりながら掘削するものである。
【００１０】
つぎに、無排土回転圧入機付ケーシングチューブ１について図面に基づいて詳細に説明する。
まず、クレーンＫのワイヤーロープＹの先端に無排土掘削装置５を取り付け、回転押込機械Ｏに無排土回転圧入機付ケーシングチューブ１を取り付け、上方より無排土掘削装置５を入れ込み、無排土掘削装置５の掘削ドリル５ａを右回転させ、係止片５ｂ２を固定具４の挿入溝４ａ１に落ち込ませると共に、そのまま回転させ係止溝４ａ２に係止片５ｂ２を係合させる。
この状態で回転押込機械Ｏの油圧モーターＯＭを作動させ、ケーシングチューブ１を右回転せると共に、掘削ドリル５ａの駆動体５ｂ１を作動させ掘削ドリル５ａを右回転させ、掘削刃２ａと掘削ドリル５ａにて地盤Ｇを掘削していく。（図４参照）
【００１１】
つぎに、深さに応じて別のケーシングチューブ１Ａをケーシングチューブ１の上部に溶接等にて固定するが、この時、無排土掘削装置５の掘削ドリル５ａを左回転させ、係止片５ｂ２を固定具４の係止溝４ａ２より外し、挿入溝４ａ１より引き上げ、上方に移動させた後、ケーシングチューブ１Ａを固定するもので、再度ケーシングチューブ１Ａ内に無排土掘削装置５を入れて掘削作業を行う。（図５参照）
【００１２】
所要の深さに掘削した後、無排土掘削装置５を上方へ引き上げる。（図６参照）
【００１３】
つづいて、ケーシングチューブ１Ａの上方よりワイヤーロープＹにて吊下したクラブハンマーＨにて底部の土砂（掘削土）を掴み、外へ排出する。（図７参照）
【００１４】
その後、ケーシングチューブ１Ａの上方よりワイヤーロープＹにて吊下した鉄筋カゴＴＫを内部に挿入する。（図８参照）
【００１５】
そして、ケーシングチューブ１Ａの上方よりトレミー管Ｔを建て込む。（図９参照）
【００１６】
トレミー管Ｔ建て込み後、トレミー管Ｔ内に生コンクリートＫＲを打設する。（図１０参照）
【００１７】
生コンクリートＫＲを打設しながら、トレミー管Ｔ及びケーシングチューブ１Ａ（１）を順次引き抜きながら生コンクリートＫＲを所要の高さまで打設する。（図１１参照）
【００１８】
クレーンＫ及び回転押込機械Ｏを撤去し、無排土ケーシングチューブ施工方法を完了する。（図１２参照）
【００１９】
【発明の効果】
以上の如く、本発明の無排土回転圧入機付ケーシングチューブ及び無排土ケーシングチューブ施工方法によれば、以下に示す効果を有するものである。
まず、無排土回転圧入機付ケーシングチューブについて、
（１）、ケーシングチューブの先端の掘削刃と内部の無排土掘削装置にて土及び障害物を切削して掘削土を排出しないで施工することができる。
（２）、無排土掘削装置の掘削ビット、撹拌ビット、ビット、泥上げスクリュー、水平撹拌ビットによる掘削ドリルにより、より早く、効果的に掘削できる。
（３）、各ビットの相乗効果に加え、特に水平撹拌ビットにより土砂を水平方向に押しやりながら掘削できるため、ケーシングチューブの内部に土砂が入ることなく掘削できる。
（４）、無排土掘削装置の掘削ドリルを右回転することにより、係止片がケーシングチューブの固定具の係止溝に係合し、掘削作業が行えると共に、左回転させることにより固定具から取り外すことができる。
これらは、回転による振動により行うもので、簡単・容易に着脱できる効果がある。
つぎに、無排土ケーシングチューブ施工方法について、
（１）、上記無排土回転圧入機付ケーシングチューブを使用することにより、掘削作業をより早く、より確実に行うことができる。
（２）、ケーシングチューブにおける溶接等による固定（連結）作業がスムーズに行え、作業時間の短縮となる。
（３）、掘削土を排出しないで施工できるため、周囲の環境を汚すことなく、無駄な手間や労力を必要としない。
【図面の簡単な説明】
【図１】本発明の無排土回転圧入機付ケーシングチューブのケーシングチューブの要部の横断平面図。
【図２】本発明の無排土回転圧入機付ケーシングチューブの無排土掘削装置の正面図。
【図３】本発明の無排土回転圧入機付ケーシングチューブの要部の一部縦断正面図。
【図４】本発明の無排土ケーシングチューブ施工方法の掘削スタート時の状態図。
【図５】本発明の無排土ケーシングチューブ施工方法のケーシングチューブを固定している状態図。
【図６】本発明の無排土ケーシングチューブ施工方法の所要の深さに掘削している状態図。
【図７】本発明の無排土ケーシングチューブ施工方法のクラブハンマーにて底部の土砂を取り除いている状態図。
【図８】本発明の無排土ケーシングチューブ施工方法の鉄筋カゴを入れている状態図。
【図９】本発明の無排土ケーシングチューブ施工方法のトレミー管を建て込んでいる状態図。
【図１０】本発明の無排土ケーシングチューブ施工方法のトレミー管内に生コンクリートを打設している状態図。
【図１１】本発明の無排土ケーシングチューブ施工方法のトレミー管及びケーシングチューブを引き抜いている状態図。
【図１２】本発明の無排土ケーシングチューブ施工方法の完了した状態図。
【符号の説明】
１―――無排土回転圧入機付ケーシングチューブ
２―――ケーシングチューブ本体
３―――ケーシングチューブ
４―――固定具
４ａ――円筒体
４ａ１―挿入溝
４ａ２―係止溝
５―――掘削装置
５ａ――掘削ドリル
５ｂ――回転反力体
Ｋ―――クレーン
Ｙ―――ワイヤーロープ
Ｏ―――回転押込機械
Ｇ―――地盤
【図１】
2004257220.tif 000003
【図２】
2004257220.tif 000004
【図３】
2004257220.tif 000005
【図４】
2004257220.tif 000006
【図５】
2004257220.tif 000007
【図６】
2004257220.tif 000008
【図７】
2004257220.tif 000009
【図８】
2004257220.tif 000010
【図９】
2004257220.tif 000011
【図１０】
2004257220.tif 000012
【図１１】
2004257220.tif 000013
【図１２】
2004257220.tif 000014